(57)【要約】【課題】簡易的な風力選別により繊維、ウレタン、ダストを効率よく分離除去することを目的とする。【解決手段】破砕物ａを搬送する振動コンベア１１と、振動コンベア１１で搬送される破砕物ａに、振動コンベア１１の搬送方向と逆向きに送風する気流発生装置２０と、気流発生装置２０の送風によって、振動コンベア１１の搬送方向と逆向きに搬送され、振動コンベア１１の搬送方向の後端側から落下したウレタン、繊維類ｃを回収する回収コンベア２２と、振動コンベア１１の上方および回収コンベア２２の上方に発生する粉塵ｄを吸引排気する集塵機３０を備える、破砕物の風力選別装置１。振動コンベア１１で搬送される破砕物ａに、振動コンベア１１の搬送方向と逆向きに送風することにより、破砕物ａ中のウレタン、繊維類ｃを振動コンベア１１の搬送方向の後端側から落下させて効率よく選別することができる。【選択図】図２
2017170398.tif 000002
【特許請求の範囲】
【請求項１】
破砕物を搬送する振動コンベアと、
前記振動コンベアで搬送される破砕物に、前記振動コンベアの搬送方向と逆向きに送風する気流発生装置と、
前記気流発生装置の送風によって、前記振動コンベアの搬送方向と逆向きに搬送され、前記振動コンベアの搬送方向の後端側から落下したウレタン、繊維類を回収する回収手段と、前記振動コンベアの上方および前記回収手段の上方に発生する粉塵を吸引排気する集塵機を備える、破砕物の風力選別装置。
【請求項２】
廃棄物を破砕処理する破砕機を備え、
前記振動コンベアに、前記破砕機で破砕処理された破砕物が投入される、請求項１に記載の破砕物の風力選別装置。
【請求項３】
破砕物を振動コンベアで搬送し、
前記振動コンベアで搬送される破砕物に、前記振動コンベアの搬送方向と逆向きに送風することにより、破砕物中のウレタン、繊維類を前記振動コンベアの搬送方向と逆向きに搬送して、前記振動コンベアの搬送方向の後端側から落下させ、
破砕物中の金属、樹脂を前記振動コンベアの搬送方向に搬送して風力選別し、
粉塵を吸引排気する、破砕物の風力選別方法。
【発明の詳細な説明】
【技術分野】
【０００１】
本発明は、破砕物からウレタン、繊維類を風力で選別する装置および方法に関する。
【背景技術】
【０００２】
使用済み家電品である冷蔵庫やエアコン等の廃棄物を破砕処理した破砕物には断熱材などといった多くのプラスチック類が含まれる。例えば、冷蔵庫の断熱材の種類としては発泡ウレタンが用いられているが、近年は一部にガラス繊維やＰＥＴ樹脂を主素材とする真空断熱材も使用されている。
【０００３】
このため、冷蔵庫リサイクルなどにおいては、破砕処理後に発生するウレタン、繊維類（断熱材）とその他（樹脂、金属等）を効率よく分離、除去する方法が切望されている。例えば、複数種類の破砕手段、選別手段、を用いた処理方法が提案されており、選別手段として風力選別が利用されている（特許文献１、２）。例えば、冷蔵庫の破砕処理における断熱材除去の方法として、パンチングプレート下からエアーで軽量物を吹き上げ、上部から吸引し、サイクロンで回収する方式が採用されている。
【先行技術文献】
【特許文献】
【０００４】
【特許文献１】特開２００３−００１６３２号公報
【特許文献２】特開２０１２−２２８８１８号公報
【発明の概要】
【発明が解決しようとする課題】
【０００５】
しかし、従来のプラスチック回収を目的とした風力選別機では、投入されるウレタン量の変動により選別精度にバラつきがあり、１０〜１５％程度の回収漏れが確認された。また、冷蔵庫の筐体断熱には「真空断熱」が採用されており、その材料にはガラス繊維やＰＥＴ樹脂繊維が使用されているが、一般的なエア吹上と吸引の組み合わせによる風力選別を行った場合、塊状になった繊維がサイクロンの排出部のロータリーバルブ閉塞を引き起こすという問題があった。今後急増する真空断熱材の処理において、ロータリーバルブ閉塞のリスクが高く、連続処理には不向きである。
【０００６】
本発明は、上記事情に鑑みてなされたものであり、簡易的な風力選別により繊維、ウレタン、ダストを効率よく分離除去することを目的とする。
【課題を解決するための手段】
【０００７】
上記課題を解決するために本発明によれば、破砕物を搬送する振動コンベアと、前記振動コンベアで搬送される破砕物に、前記振動コンベアの搬送方向と逆向きに送風する気流発生装置と、前記気流発生装置の送風によって、前記振動コンベアの搬送方向と逆向きに搬送され、前記振動コンベアの搬送方向の後端側から落下したウレタン、繊維類を回収する回収手段と、前記振動コンベアの上方および前記回収手段の上方に発生する粉塵を吸引排気する集塵機を備える、破砕物の風力選別装置が提供される。
【０００８】
この風力選別装置にあっては、廃棄物を破砕処理する破砕機を備え、前記振動コンベアに、前記破砕機で破砕処理された破砕物が投入されても良い。
【０００９】
また本発明によれば、破砕物を振動コンベアで搬送し、前記振動コンベアで搬送される破砕物に、前記振動コンベアの搬送方向と逆向きに送風することにより、破砕物中のウレタン、繊維類を前記振動コンベアの搬送方向と逆向きに搬送して、前記振動コンベアの搬送方向の後端側から落下させ、破砕物中の金属、樹脂を前記振動コンベアの搬送方向に搬送して風力選別し、粉塵を吸引排気する、破砕物の風力選別方法が提供される。
【発明の効果】
【００１０】
本発明によれば、振動コンベアで搬送される破砕物に、振動コンベアの搬送方向と逆向きに送風することにより、破砕物中のウレタン、繊維類を振動コンベアの搬送方向の後端側から落下させて効率よく選別することができる。
【図面の簡単な説明】
【００１１】
【図１】本発明の実施の形態に係る風力選別装置の構成を模式的に示す平面図である。
【図２】本発明の実施の形態に係る風力選別装置の構成を模式的に示す正面図である。
【図３】本発明の実施の形態に係る風力選別方法の手順を示すフローチャートである。
【発明を実施するための形態】
【００１２】
以下、本発明の実施の形態の一例について、図面を参照しながら説明する。なお、本明細書および図面において、実質的に同一の機能構成を有する要素においては、同一の符号を付することにより重複説明を省略する。
【００１３】
図１、２に示すように、本発明の実施の形態にかかる風力選別装置１は、振動装置１０によって振動が加えられる振動コンベア１１を備えている。振動コンベア１１の上部には、破砕物ａの投入シュート１２が配置されており、廃棄物を破砕機１５で破砕処理することにより発生した破砕物ａが抜出コンベア１６を経て投入シュート１２に投入され、投入シュート１２から振動コンベア１１上に破砕物ａが供給される。振動コンベア１１は、こうして供給された破砕物ａを、振動装置１０によって加えられた振動により、図中の右向きに搬送する。
【００１４】
破砕機１５によって破砕処理される廃棄物は、例えば使用済み家電品である冷蔵庫やエアコン等の廃棄物である。破砕機１５で破砕処理することにより発生した破砕物ａには、樹脂、金属ｂと、ウレタン、繊維類ｃと、その他の粉塵（ダスト）ｄが含まれている。振動コンベア１１には、これら樹脂、金属ｂ、ウレタン、繊維類ｃ、粉塵（ダスト）ｄが混在する状態の破砕物ａが、投入シュート１２から供給される。
【００１５】
振動コンベア１１の搬送方向前側（すなわち、振動コンベア１１の右側）の上部には、振動コンベア１１に載せられて搬送される破砕物ａに、振動コンベア１１の搬送方向と逆向き（すなわち、図中の左向き）に送風する気流発生装置２０が設けられている。この気流発生装置２０から、振動コンベア１１上で搬送される破砕物ａに例えば８０〜１００ｍ３／ｍの風量で送風が行われることにより、破砕物ａ中に含まれていたウレタン、繊維類ｃが、振動コンベア１１の搬送方向と逆向きに吹き飛ばされて搬送され、振動コンベア１１の搬送方向の後端側（すなわち、振動コンベア１１の左端側）から落下させられる。
【００１６】
振動コンベア１１の搬送方向の後端側（すなわち、振動コンベア１１の左端側）の下部には、こうして落下させられるウレタン、繊維類ｃを通すための落下シュート２１が設けられている。この落下シュート２１の下端出口には、ウレタン、繊維類ｃを回収する回収手段としての回収コンベア２２が設置されている。この回収コンベア２２に回収されたウレタン、繊維類ｃは、回収コンベア２２の稼働によって図中の右向きに搬送されて、排出される。
【００１７】
また、気流発生装置２０から振動コンベア１１上の破砕物ａに送風が行われることにより、振動コンベア１１の上方には、破砕物ａ中に含まれている粉塵ｄが舞い上がった状態となる。このため、振動コンベア１１の上方に発生する粉塵ｄを吸引するための排気ダクト２５が接続されている。
【００１８】
同様に、落下シュート２１を通じて回収コンベア２２上にウレタン、繊維類ｃが落下させられることにより、回収コンベア２２の上方には、ウレタン、繊維類ｃと一緒に落下してきた粉塵ｄが舞い上がった状態となる。このため、回収コンベア２２の上方に発生する粉塵ｄを吸引するための排気ダクト２６が接続されている。
【００１９】
これら排気ダクト２５、２６は、集塵機（サイクロン）３０に接続されている。この集塵機３０が例えば１０〜２０ｍ３／ｍの吸引風量で稼働することにより、振動コンベア１１の上方および回収コンベア２２の上方に発生する粉塵ｄが、排気ダクト２５、２６を通じて吸引排気される。集塵機３０の下方には、こうして集塵機３０によって吸引排気された粉塵ｄをまとめて排出するダストコンベア３１が設置されている。
【００２０】
したがって、以上のように構成された風力選別装置１にあっては、図３に示すように、先ず破砕機１５によって、例えば使用済み家電品である冷蔵庫やエアコン等の廃棄物が破砕処理され（Ｓ１）、この破砕処理で発生した破砕物ａが、抜出コンベア１６（Ｓ２）から投入シュート１２を経て、振動コンベア１１に供給される。そして、振動コンベア１１は、振動装置１０の振動により、破砕物ａを図中の右向きに搬送する（Ｓ３）。
【００２１】
そして、振動コンベア１１によって搬送される破砕物ａに対して、気流発生装置２０から、振動コンベア１１の搬送方向と逆向き（すなわち、図中の左向き）に送風が行われ（Ｓ４）、これにより、破砕物ａ中に含まれている樹脂、金属ｂと、ウレタン、繊維類ｃとの風力選別が行われる（Ｓ４）。
【００２２】
そして、樹脂、金属ｂは、振動コンベア１１によってそのまま図中の左向きに搬送され、適宜回収される（Ｓ５）。こうして回収された樹脂、金属ｂは、さらに磁力選別機による磁選工程（Ｓ６）を経て、金属が回収される（Ｓ７）。
【００２３】
一方、破砕物ａ中に含まれていたウレタン、繊維類ｃは、振動コンベア１１の搬送方向と逆向きに吹き飛ばされ、振動コンベア１１の搬送方向の後端側（すなわち、振動コンベア１１の左端側）から落下させられる。こうして落下させられたウレタン、繊維類ｃは、落下シュート２１を通って回収コンベア２２に回収され、回収コンベア２２の稼働によって図中の右向きに搬送されて、ウレタン、繊維類ｃは排出される（Ｓ１０）。なお、ウレタンと繊維類は、例えば手作業によってさらに選別される。
【００２４】
また、振動コンベア１１の上方および回収コンベア２２の上方に発生した粉塵ｄは、集塵機３０の稼働により、排気ダクト２５、２６を通じて吸引排気される（Ｓ１１）。こうして集塵機３０に回収された粉塵ｄは、ダストコンベア３１で回収されて排出される（Ｓ１２）。
【００２５】
この実施の形態にかかる風力選別装置１によれば、振動コンベア１１で搬送される破砕物ａに、気流発生装置２０から振動コンベア１１の搬送方向と逆向きに送風が行われることにより、破砕物ａ中に含まれていたウレタン、繊維類ｃを振動コンベア１１の搬送方向の後端側から落下させて効率よく風力選別することができる。また、振動コンベア１１の上方および回収コンベア２２の上方に発生した粉塵ｄは、集塵機３０の稼働によって速やかに吸引排気され、振動コンベア１１の上方および回収コンベア２２の上方の気流が安定し、また、発塵も防止されるので作業環境も改善される。また、集塵機３０にはウレタン、繊維類ｃが持ち込まれないので、閉塞する心配もなく、連続作業が可能となる。
【００２６】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００２７】
例えば、破砕物は冷蔵庫やエアコン等の廃棄物を破砕処理したものに限らず、本発明は、他の種類の破砕物の処理にも適用できる。
【符号の説明】
【００２８】
１  風力選別装置
１０  振動装置
１１  振動コンベア
１２  投入シュート
１５  破砕機
１６  抜出コンベア
２０  気流発生装置
２１  落下シュート
２２  回収コンベア
２５、２６  排気ダクト
３０  集塵機
３１  ダストコンベア
ａ  破砕物
ｂ  樹脂、金属
ｃ  ウレタン、繊維類
ｄ  粉塵
【図１】
2017170398.tif 000003
【図２】
2017170398.tif 000004
【図３】
2017170398.tif 000005